(57)【要約】【課題】  歯の表面磨きと歯間の清掃とを効率よく行うこと。【解決手段】  合成樹脂製ブラシ本体１の植毛台１ａに複数束のブラシ毛Ｂが幅方向である横列ａ状及びこれに直交する長手方向である縦列ｂ状に配列されるように等ピッチｐで植毛された歯ブラシにおいて、前記複数のブラシ毛Ｂが、縦列ｂ方向に沿って複数ピッチｐごとの歯間ブラシ毛Ｂａと、それ以外の歯面ブラシ毛Ｂｂとに分けられ、その歯面ブラシ毛Ｂｂの高さｈ１が歯間ブラシ毛Ｂａの高さｈ２よりも低く設定され、前記各歯間ブラシ毛Ｂａを形成する横列ａ方向の複数束のブラシ毛Ｂのうち、その中央の適当なブラシ毛Ｂの高さｈ１を低く設定して凹部ｍを形成することにより、その残りの複数束のブラシ毛Ｂが前記凹部ｍを間に挟んで２束グループＧａと１束グループＧｂとに分けられ、その２束グループＧａと１束グループＧｂとが縦列ｂ方向に沿って交互に配列されている。【選択図】        図２
0003155477.tif 000002
【実用新案登録請求の範囲】
【請求項１】
合成樹脂製ブラシ本体の植毛台に複数束のブラシ毛が幅方向である横列状及びこれに直交する長手方向である縦列状に配列されるように等ピッチで植毛された歯ブラシにおいて、前記複数のブラシ毛が、縦列方向に沿って複数ピッチごとの歯間ブラシ毛と、それ以外の歯面ブラシ毛とに分けられ、その歯面ブラシ毛の高さが歯間ブラシ毛のよりも低く設定されてなる歯ブラシ。
【請求項２】
前記各歯間ブラシ毛を形成する横列方向の複数束のブラシ毛のうち、その中央の適当なブラシ毛の高さを低く設定して凹部を形成することにより、その残りの複数束のブラシ毛が前記凹部を間に挟んで２束グループと１束グループとに分けられてなる歯ブラシ。
【請求項３】
前記各歯間ブラシ毛の２束グループと１束グループが縦列方向に沿って交互に配列されてなる請求項２に記載の歯ブラシ。
【考案の詳細な説明】
【技術分野】
【０００１】
本考案は、歯ブラシに関し、特に、歯の表面磨きと歯間の清掃とを効率よく行うことができるようにしたものである。
【背景技術】
【０００２】
従来、歯ブラシの一例として特許文献１に記載したものがあり、これは、図７（ａ）の側面図に示すように、合成樹脂製ブラシ本体１の植毛台１ａに植毛したブラシ毛Ｂの毛先を連続Ｕ字カットしたものであって、Ｕ字カットの底のブラシ面２で歯Ｔの表面Ｔａを磨き、Ｕ字カット間のブラシ突出部３で歯間Ｔｂの清掃を行う。
【０００３】
また、従来、歯間ブラシの一例として特許文献２に記載したものがあり、これは、図７（ｂ）に示すように、ハンドル５から突出する捻じりワイヤ６にブラシ毛Ｂの中央部を挟持させたものであって、そのブラシ毛Ｂを歯間Ｔｂに差し込んで清掃を行う。
【０００４】
更に、従来、歯間ブラシの他の例として特許文献３に記載したものがあり、これは、図７（ｃ）に示すように、把持部８に一体突設した二股部８ａに細糸９を張設したものであって、その細糸９を歯間Ｔｂに差し込んで清掃を行う。
【先行技術文献】
【特許文献】
【０００５】
【特許文献１】実用新案登録第３１４３９６３号公報
【特許文献２】特開２００９−５７４０号公報
【特許文献３】実用新案登録第３１４２０４１号公報
【考案の概要】
【考案が解決しようとする課題】
【０００６】
特許文献１によれば、ブラシ毛Ｂで歯Ｔの表面Ｔａを磨いたり歯間Ｔｂの清掃を行うようになっているが、歯間Ｔｂの清掃を行うときに、Ｕ字カットの底のブラシ面２が歯Ｔの表面Ｔａに当たるため、ブラシ突出部３で歯間Ｔｂの奥まで充分に清掃することができない。
【０００７】
特許文献２によれば、歯間Ｔｂの幅が広い場合に、その歯間Ｔｂにブラシ毛Ｂを容易に差し込んで効率良く清掃することができるが、その歯間Ｔｂの幅が狭い場合には、ブラシ毛Ｂを歯間Ｔｂに差し込むことが難しく、清掃できない。
【０００８】
特許文献３によれば、歯間Ｔｂの幅が狭い場合でも、その歯間Ｔｂに細糸９を差し込んで効率良く清掃することができるが、その歯間Ｔｂの幅が広い場合には、細糸９で歯間Ｔｂの全体を効率良く清掃するのが難しい。
【０００９】
また、特許文献１に記載の歯ブラシと、特許文献２及び３の歯間ブラシとを使い分ける場合には、その３種類のブラシを持ち替えて使うのに手間がかかって面倒であり、使い勝手が悪く、経済的にも高くつく。
【００１０】
本考案は、上記従来の欠点に鑑み、歯の表面磨きと歯間の幅に合わせた清掃とを効率良く行うことができるようにした歯ブラシを提供することを目的としている。
【課題を解決するための手段】
【００１１】
上記目的を達成するため、請求項１に記載の考案は、合成樹脂製ブラシ本体１の植毛台１ａに複数束のブラシ毛Ｂが幅方向である横列ａ状及びこれに直交する長手方向である縦列ｂ状に配列されるように等ピッチｐで植毛された歯ブラシにおいて、前記複数束のブラシ毛Ｂが、縦列ｂ方向に沿って複数ピッチｐごとの歯間ブラシ毛Ｂａと、それ以外の歯面ブラシ毛Ｂｂとに分けられ、その歯面ブラシ毛Ｂｂの高さｈ１が歯間ブラシ毛Ｂａの高さｈ２よりも低く設定されてなる構成を採用するものである。
【００１２】
請求項２に記載の考案は、請求項１に記載の考案において、前記各歯間ブラシ毛Ｂａを形成する横列ａ方向の複数束のブラシ毛Ｂのうち、その中央の適当なブラシ毛Ｂの高さｈ１を低く設定して凹部ｍを形成することにより、その残りの複数束のブラシ毛Ｂが前記凹部ｍを間に挟んで２束グループＧａと１束グループＧｂとに分けられてなる構成を採用するものである。
【００１３】
請求項３に記載の考案は、請求項２に記載の考案において、前記各歯間ブラシ毛Ｂａの２束グループＧａと１束グループＧｂとが縦列ｂ方向に沿って交互に配列されてなる構成を採用するものである。
【考案の効果】
【００１４】
請求項１に記載の考案によれば、複数の歯間Ｔｂを同時に清掃する場合、各歯間ブラシ毛Ｂａの毛先を各歯間Ｔｂに差し込んでその歯間Ｔｂに沿って上下方向ｃ，ｄに動かすだけでよく、このとき、各歯面ブラシ毛Ｂｂの毛先が歯Ｔの表面Ｔａに当たらないから、各歯間ブラシ毛Ｂａの毛先を各歯間Ｔｂの奥まで確実に差し込んで、複数の歯間Ｔｂを同時に綺麗に清掃することができる。
【００１５】
歯Ｔの表面Ｔａを清掃する場合、各歯間ブラシ毛Ｂａの毛先を歯Ｔの表面Ｔａに押しつけて曲げることにより各歯面ブラシ毛Ｂｂの毛先を歯Ｔの表面Ｔａに当接させればよく、これによって、各歯面ブラシ毛Ｂｂと各歯間ブラシ毛Ｂａとで歯Ｔの表面Ｔａを綺麗に清掃することができる。
【００１６】
請求項２に記載の考案によれば、個別の歯間Ｔｂを清掃する場合、広幅の歯間Ｔｂに対しては２束グループＧａの毛先を通し、狭幅の歯間Ｔｂに対しては１束グループＧｂの毛先を通すことにより、個別の歯間Ｔｂを効率良く確実に清掃することができる。
【００１７】
また、本考案の歯ブラシ１本だけで、上述した４つの使い分けを行なうことにより、歯Ｔの表面Ｔａと歯間Ｔｂとを効率良く清掃することができ、経済的である。
【００１８】
請求項３に記載の考案によれば、凹部ｍによる磨き残しが生じないように２束グループＧａと１束グループＧｂとで歯Ｔの表面Ｔａの全体を綺麗に磨くことができる。
【図面の簡単な説明】
【００１９】
【図１】本考案の実施の一形態である歯ブラシの斜視図である。
【図２】（ａ）は同要部の側面図、（ｂ）は同要部の端面図、（ｃ）はＡ−Ａ矢視図、（ｄ）はＢ−Ｂ矢視図である。
【図３】（ａ）は同複数の歯間の同時清掃状態を説明する平面図、（ｂ）は同縦断面図である。
【図４】同歯の表面を磨いている状態を説明する平面図である。
【図５】（ａ）は同広幅の歯間の清掃状態を説明する水平断面図、（ｂ）は同要部の拡大水平断面図である。
【図６】（ａ）は同狭幅の歯間の清掃状態を説明する水平断面図、（ｂ）は同要部の拡大水平断面図である。
【図７】（ａ）は従来の歯ブラシの一例を示す平面図、（ｂ）は従来の歯間ブラシの一例を示す正面図、（ｃ）は従来の歯間ブラシの他の例を示す正面図である。
【考案を実施するための形態】
【００２０】
図１〜図６は本考案の実施の一形態である歯ブラシを示すものであって、合成樹脂製ブラシ本体１の植毛台１ａに複数束のブラシ毛Ｂが幅方向である横列ａ状及びこれに直交する長手方向である縦列ｂ状に配列されるように等ピッチｐで植毛され、前記複数束のブラシ毛Ｂが、縦列ｂ方向に沿って複数ピッチｐ（この実施の形態では２ピッチｐ）分の間隔ｋごとの歯間ブラシ毛Ｂａと、それ以外の歯面ブラシ毛Ｂｂとに分けられ、その歯面ブラシ毛Ｂｂの高さｈ１が歯間ブラシ毛Ｂａの高さｈ２よりも低く設定されている（ｈ１＜ｈ２）。
【００２１】
図２（ｂ）に示すように、各歯間ブラシ毛Ｂａを形成する横列ａ方向の複数束（この実施の形態では４束）のブラシ毛Ｂのうち、その中央の適当なブラシ毛Ｂの高さｈ１を歯面ブラシ毛Ｂｂの高さｈ１と同じように低く設定して凹部ｍを形成することにより、その残りの複数束のブラシ毛Ｂが前記凹部ｍを間に挟んで２束グループＧａと１束グループＧｂとに分けられ、その２束グループＧａと１束グループＧｂとが縦列ｂ方向に沿って交互に配列されている〔図２（ｄ）参照〕。
【００２２】
具体的寸法の一例を示すと、歯面ブラシ毛Ｂｂの高さｈ１が６ｍｍ、歯間ブラシ毛Ｂａの高さｈ２が１１ｍｍ、ブラシ毛Ｂの束径ｎが１．５ｍｍ、ピッチｐが３ｍｍ、間隔ｋが６ｍｍである。
【００２３】
使用手順を説明すると、図３（ａ）に示すように、複数の歯間Ｔｂを同時に清掃する場合には、ブラシ本体１を把持して植毛台１ａを口内に入れ、各歯間ブラシ毛Ｂａを各歯間Ｔｂに対向させ、ブラシ本体１を押し込むことにより、該各歯間ブラシ毛Ｂａの毛先を各歯間Ｔｂの奥まで差し込み、図３（ｂ）に示すように、ブラシ本体１を歯間Ｔｂに沿って上下方向ｃ，ｄに動かす。
【００２４】
上記構成によれば、各歯間ブラシ毛Ｂａの毛先を各歯間Ｔｂに差し込んだときに、各歯面ブラシ毛Ｂｂの毛先が歯Ｔの表面Ｔａに当たらないから、各歯間ブラシ毛Ｂａの毛先を各歯間Ｔｂの奥まで確実に差し込んで、複数の歯間Ｔｂを同時に綺麗に清掃することができる。
【００２５】
図４に示すように、歯Ｔの表面Ｔａを磨く場合には、各歯間ブラシ毛Ｂａの毛先を歯Ｔの表面Ｔａに押しつけて曲げることにより各歯面ブラシ毛Ｂｂの毛先を歯Ｔの表面Ｔａに当接させ、ブラシ本体１を左右方向ｅ，ｆ及び上下方向ｃ，ｄに動かす。
【００２６】
上記構成によれば、各歯面ブラシ毛Ｂｂと歯間ブラシ毛Ｂａとで歯Ｔの表面Ｔａを綺麗に清掃することができる。
【００２７】
また、各歯間ブラシ毛Ｂａの中央に形成した凹部ｍが縦列ｂに沿って交互に配列した２束グループＧａと１束グループＧｂとで囲まれているから、凹部ｍによる磨き残しが生じないように２束グループＧａと１束グループＧｂとで歯Ｔの表面Ｔａの全体を綺麗に磨くことができる。
【００２８】
図５（ａ）に示すように、広幅の歯間Ｔｂを個別に清掃する場合には、２束グループＧａを広幅の歯間Ｔｂに対向させ、ブラシ本体１を前後方向ｇ，ｈに押し引きすることにより、図５（ｂ）に示すように、２束グループＧａのブラシ毛Ｂを広幅の歯間Ｔｂに挿通させる。
【００２９】
図６（ａ）に示すように、狭幅の歯間Ｔｂを個別に清掃する場合には、上記と同じ手順で１束グループＧｂのブラシ毛Ｂを狭幅の歯間Ｔｂに対向させ、ブラシ本体１を前後方向ｇ，ｈに押し引きすることにより、図６（ｂ）に示すように、１束グループＧｂのブラシ毛Ｂを狭幅の歯間Ｔｂに挿通させる。
【００３０】
上記構成によれば、個別の歯間Ｔｂを清掃する場合、広幅の歯間Ｔｂに対しては２束グループＧａの毛先を通し、狭幅の歯間Ｔｂに対しては１束グループＧｂの毛先を通すことにより、個別の歯間Ｔｂを効率良く確実に清掃することができる。
【００３１】
また、本考案の歯ブラシ１本だけで、上述した４つの使い分けを行なうことにより、歯Ｔの表面Ｔａと歯間Ｔｂとを効率良く清掃することができ、経済的である。
【符号の説明】
【００３２】
１        ブラシ本体
１ａ      ブラシ本体の植毛台
Ｂ        ブラシ毛
Ｂａ      歯間ブラシ毛
Ｂｂ      歯面ブラシ毛
Ｔ        歯
Ｔａ      歯の表面
Ｔｂ      歯間
Ｇａ      ２束グループ
Ｇｂ      １束グループ
ａ        横列
ｂ        縦列
ｐ        ピッチ
ｍ        凹部
ｈ１      歯面ブラシ毛の高さ
ｈ２      歯間ブラシ毛の高さ
【図１】
0003155477.tif 000003
【図２】
0003155477.tif 000004
【図３】
0003155477.tif 000005
【図４】
0003155477.tif 000006
【図５】
0003155477.tif 000007
【図６】
0003155477.tif 000008
【図７】
0003155477.tif 000009